(57)【特許請求の範囲】
【請求項１】
撮影条件に関する設定項目の表示画面、および、前記設定項目の表示画面にて選択された設定項目に関する設定値の表示画面を表示する表示手段と、
前記設定項目の表示画面にていずれかの設定項目を選択するため、および、前記設定値の表示画面にていずれかの設定値を選択するための操作手段と、
前記設定値の表示画面にて選択された設定値にしたがって前記撮影条件を設定する制御手段と、を有し、
前記表示手段は、前記操作手段にて選択された設定項目に対して、選択状態であることを示す情報を表示し、
前記操作手段にて選択された設定項目が有効である状態から無効である状態に前記撮像装置の状態が変更した場合、
前記表示手段は、前記操作手段にて選択された設定項目が無効である状態であっても前記操作手段にて選択された設定項目に対して選択状態であることを示す情報の表示を継続し、
前記制御手段は、前記操作手段にて選択された設定項目に関する設定値の変更を禁止することを特徴とする撮像装置。
【請求項２】
前記表示手段は、前記操作手段にて選択された設定項目が有効である状態から無効である状態に前記撮像装置の状態が変更した場合、前記操作手段にて選択された設定項目に関する設定値の表示画面の表示形態を変更することを特徴とする請求項１に記載の撮像装置。
【請求項３】
前記表示手段は、前記操作手段にて選択された設定項目が有効である状態から無効である状態に前記撮像装置の状態が変更した場合、前記操作手段にて選択された設定項目の表示形態および前記操作手段にて選択された設定項目に対して表示される選択状態であることを示す情報の表示形態を変更させることなく、前記操作手段にて選択された設定項目に関する設定値の表示画面の表示形態を変更することを特徴とする請求項１に記載の撮像装置。
【請求項４】
前記表示手段は、前記操作手段にて選択された設定項目が有効である状態から無効である状態に前記撮像装置の状態が変更した場合、前記操作手段にて選択された設定項目に関する設定値の表示画面を表示する色を変更することを特徴とする請求項１ないし３のいずれか１項に記載の撮像装置。
【請求項５】
前記表示手段は、前記操作手段にて選択された設定項目が有効である状態から無効である状態に前記撮像装置の状態が変更した場合、前記操作手段にて選択された設定項目に関する設定値の表示画面の表示形態を変更し、前記操作手段にて選択された設定項目が無効である状態から有効である状態に前記撮像装置の状態が変更した場合、前記表示形態を変更した設定値の表示画面を変更前の表示形態にすることを特徴とする請求項１ないし３のいずれか１項に記載の撮像装置。
【請求項６】
前記表示手段は、前記設定値の表示画面にて選択された設定値に対して選択状態であることを示す情報を表示し、前記操作手段にて選択された設定項目が有効である状態から無効である状態に前記撮像装置の状態が変更した後に、再度前記操作手段にて選択された設定項目が有効である状態に前記撮像装置の状態が変更した場合、直前に選択された設定値に対して前記選択状態であることを示す情報を表示することを特徴とする請求項１ないし５のいずれか１項に記載の撮像装置。
【請求項７】
前記撮影条件に関する設定項目には、前記撮像装置に接続された外部閃光装置の設定を変更するための項目が含まれていて、前記外部閃光装置の電源がオンからオフに変更されることによって、前記外部閃光装置の設定を変更するための項目が有効である状態から無効である状態に前記撮像装置の状態が変更することを特徴とする請求項１ないし６のいずれか１項に記載の撮像装置。
【請求項８】
前記外部閃光装置の設定を変更するための項目に関する設定値が、前記外部閃光装置の調光補正の値、あるいは、前記外部閃光装置の固定発光量の値であることを特徴とする請求項７に記載の撮像装置。
【請求項９】
外部閃光装置が接続される撮像装置であって、
撮影条件に関する設定項目の表示画面、および、前記設定項目の表示画面から選択された設定項目に関する設定値の表示画面を表示する表示手段と、
前記設定項目の表示画面にていずれかの設定項目を選択するため、および、前記設定値の表示画面からいずれかの設定値を選択するための操作手段と、
前記設定値の表示画面にて選択された設定値にしたがって前記撮影条件を設定する制御手段と、を有し、
前記表示手段は、前記操作手段にて選択された設定項目に対して選択状態であることを示す情報を表示し、
前記操作手段にて選択された設定項目が接続された前記外部閃光装置の調光補正の値、あるいは、前記外部閃光装置の固定発光量の値設定値を変更するための項目であって、前記外部閃光装置の電源がオンからオフに変更された場合、
前記表示手段は、前記操作手段にて選択された設定項目の表示形態および前記操作手段にて選択された設定項目に対して表示される選択状態であることを示す情報の表示形態を変更させることなく、前記操作手段にて選択された設定項目に関する設定値の表示画面を表示する色を変更し、
前記制御手段は、前記操作手段にて選択された設定項目に関する設定値の変更を禁止することを特徴とする撮像装置。
【請求項１０】
撮影条件に関する設定項目の表示画面、および、前記設定項目の表示画面にて選択された設定項目に関する設定値の表示画面を表示する表示手段と、前記設定項目の表示画面にていずれかの設定項目を選択するため、および、前記設定値の表示画面にていずれかの設定値を選択するための操作手段と、前記設定値の表示画面にて選択された設定値にしたがって前記撮影条件を設定する制御手段とを有する撮像装置の制御方法であって、
前記表示手段に表示された前記設定項目の表示画面のうち、前記設定項目の表示画面にて選択された設定項目に対して選択状態であることを示す情報を表示する工程と、
前記操作手段にて選択された設定項目が有効である状態から無効である状態に前記撮像装置の状態が変更した場合、前記操作手段にて選択された設定項目が無効である状態であっても前記表示手段が前記操作手段にて選択された設定項目に対して選択状態であることを示す情報の表示を継続する工程と、
前記操作手段にて選択された設定項目が有効である状態から無効である状態に前記撮像装置の状態が変更した場合、前記制御手段が前記操作手段にて選択された設定項目に関する設定値の変更を禁止する工程と、を有することを特徴とする撮像装置の制御方法。
【発明の詳細な説明】
【技術分野】
【０００１】
本発明は、デジタルカメラ等の撮像装置の表示部における撮影時の設定項目の表示に関するものである。
【背景技術】
【０００２】
従来からデジタルカメラや銀塩カメラによる撮影は、昼間の自然光の下で行う撮影、暗中で閃光を被写体に向けて発光させて行う所謂閃光発光撮影、自然光と閃光を混ぜ合わせて行う所謂日中シンクロ撮影など、様々な条件で行われている。
【０００３】
上記のような条件下での常識的な露出（以下、適正露出）で撮影する通常の撮影だけでなく、例えば撮影者が高度な写真表現を行う目的で、被写体の露出を、適正露出よりも少なめに露光させる所謂アンダー補正をする場合がある。または、反対に適正露出よりも露光を多めにする所謂オーバー補正を行う場合もある。この点に鑑み、撮影者の種々の意図に沿って露出を補正できる機能を備えた撮像装置および外部閃光装置も種々提案され、一般に使用されている。
【０００４】
特許文献１では、外部閃光装置の固定発光量または調光演算値に対しての補正量（以下、調光補正値）を任意に設定可能な操作部材を具備する撮像装置が提案されている。この技術によれば、外部閃光装置側に固定発光量の設定機能を持たない場合でも、撮像装置側の操作で固定発光量を任意に設定することが可能である。
【０００５】
ここで、外部閃光装置をカメラに接続し、カメラから外部閃光装置の調光補正を設定する場合を考える。外部閃光装置の電源がオンされていれば、カメラを操作することで、カメラの表示部に外部閃光装置の調光補正の設定メニューを表示し、この設定値を変更することができる。
【０００６】
図８に、外部閃光装置の調光補正を設定するための表示を行ったときの、カメラの背面にある表示部の表示画面の一例を示す。カメラの特定のボタンを操作することによって、被写体画像を表示するためのカメラ背面の表示部に、ホワイトバランスの設定や、測光方式や、調光補正などの利用頻度の高い機能を示すアイコンの一覧が表示される。図８ではこれらのアイコンは、表示部の画面左端に縦に並んで配置されており、調光補正を設定するためのアイコンは上から４番目に配置されている。このアイコン上を移動する指標を動かして、調光補正を設定するためのアイコンを選択すると、表示部の画面下部に具体的な設定値が表示され、ユーザーの操作に応じて任意の値を選択することができる。
【０００７】
このようなカメラでは、カメラに装着した外部閃光装置の電源のオンとオフを切り替えることによって、撮影時に外部閃光装置を発光させるか否かを切り替えることができるものがある。
【０００８】
図９（ａ）は図８と同様に、カメラに装着した外部閃光装置の電源をオンし、ユーザーがカメラ側で調光補正を設定しているときの表示部の画面を示している。この状態で外部閃光装置の電源をオフすると、カメラ側で調光補正が設定できなくなる。
【０００９】
ここで、例えば特許文献２では、選択できなくなった項目をユーザーに認識させやすくするため、図９（ｂ）に示すように、選択できなくなった機能のアイコンを白色から灰色に変更して表示する。これに伴い、このアイコン上にあった指標は、１つ下の別の機能（ここでは測光方式）を示すアイコンへと移動する。
【特許文献１】特開２００３−０４３５５９
【特許文献２】特開２００１−０５４００６
【発明の開示】
【発明が解決しようとする課題】
【００１０】
しかしながら、再び閃光発光撮影をするために、外部閃光装置の電源をオンしても、指標は１つ下の測光方式を示すアイコンの上に位置したままとなる。つまり、調光補正値を設定するためには、外部閃光装置の電源をオンするだけでなく、測光方式を示すアイコンにある指標を、調光補正を示すアイコンに移動させる必要が生じる。
【００１１】
このように、外部閃光装置による発光の要否、および、閃光発光撮影時の調光補正を併用して、撮影条件を様々に変えながら撮影を行う際には、調光補正の設定メニューを選択するための煩雑な操作が加わってしまい、スムーズな撮影が行えなかった。
【００１２】
また、外部閃光装置に限らず、撮影条件の変更により指標が選択していた設定項目から外れた場合に、再度元の設定項目に指標を移動させるという煩雑な操作が必要となっていた。
【００１３】
本発明は、撮影条件を様々に変えながら撮影を行う際に、スムーズな操作で撮影が行える撮像装置を提供することを目的とする。
【課題を解決するための手段】
【００１４】
上記課題を解決するため、本発明に係る撮像装置は、撮影条件に関する設定項目の表示画面、および、前記設定項目の表示画面にて選択された設定項目に関する設定値の表示画面を表示する表示手段と、前記設定項目の表示画面にていずれかの設定項目を選択するため、および、前記設定値の表示画面にていずれかの設定値を選択するための操作手段と、前記設定値の表示画面にて選択された設定値にしたがって前記撮影条件を設定する制御手段と、を有し、前記表示手段は、前記操作手段にて選択された設定項目に対して、選択状態であることを示す情報を表示し、前記操作手段にて選択された設定項目が有効である状態から無効である状態に前記撮像装置の状態が変更した場合、前記表示手段は、前記操作手段にて選択された設定項目が無効である状態であっても前記操作手段にて選択された設定項目に対して選択状態であることを示す情報の表示を継続し、前記制御手段は、前記操作手段にて選択された設定項目に関する設定値の変更を禁止することを特徴とする。
【００１５】
また、上記課題を解決するため、本発明に係る撮像装置は、外部閃光装置が接続される撮像装置であって、撮影条件に関する設定項目の表示画面、および、前記設定項目の表示画面から選択された設定項目に関する設定値の表示画面を表示する表示手段と、前記設定項目の表示画面にていずれかの設定項目を選択するため、および、前記設定値の表示画面からいずれかの設定値を選択するための操作手段と、前記設定値の表示画面にて選択された設定値にしたがって前記撮影条件を設定する制御手段と、を有し、前記表示手段は、前記操作手段にて選択された設定項目に対して選択状態であることを示す情報を表示し、前記操作手段にて選択された設定項目が接続された前記外部閃光装置の調光補正の値、あるいは、前記外部閃光装置の固定発光量の値設定値を変更するための項目であって、前記外部閃光装置の電源がオンからオフに変更された場合、前記表示手段は、前記操作手段にて選択された設定項目の表示形態および前記操作手段にて選択された設定項目に対して表示される選択状態であることを示す情報の表示形態を変更させることなく、前記操作手段にて選択された設定項目に関する設定値の表示画面を表示する色を変更し、前記制御手段は、前記操作手段にて選択された設定項目に関する設定値の変更を禁止することを特徴とする。
【発明の効果】
【００１６】
本発明によれば、撮影条件を様々に変えながら撮影を行う際に、スムーズな操作で撮影が行える撮像装置を提供することができる。
【発明を実施するための最良の形態】
【００１７】
本発明を実施するための最良の形態は、以下の実施形態に示す通りである。
【００１８】
（第１の実施形態）
図１は本発明の一実施形態における撮像装置の回路構成を示す図である。図１において、１０１は撮像レンズ、１０２は入射光量の制限及びシャッタを兼ねる絞り機構部、１０３は絞り機構部１０２を駆動する絞り駆動部である。１０４はＣＣＤやＣＭＯＳセンサに代表される二次元の撮像素子、１０５は撮像素子１０４を駆動する撮像素子駆動部である。１０６は相関２重サンプリングやＡＧＣ（Ａｕｔｏｍａｔｉｃ  Ｇａｉｎ  Ｃオンｔｒｏｌ）を行う前段信号処理部、１０７はアナログ信号をデジタル信号化するＡ／Ｄ変換部、１０８はデジタル化された信号を処理するカメラ信号処理部である。
【００１９】
１０９は画像データの圧縮、伸長を行う画像データ圧縮伸長部、１１０は画像メモリ、１１１は圧縮した画像データの記録及び再生を行う画像データ記録再生部、１１２は半導体メモリ等に代表される記録媒体である。１１３は後述の表示部を駆動する表示駆動部、１１４は液晶やＣＲＴに代表される表示部である。１１５はアクセサリーシュー１１７を介して装着される外部閃光装置１１８との通信を制御する通信制御部、１１６はアクセサリーシュー１１７に備わっている外部閃光装置１１８の装着を検知するための装着検知部である。１１９は記録開始トリガを与えるシャッタボタン等が配置されている操作スイッチ部である。１２０は一連の動作の制御を行う制御部としてのマイクロプロセッサユニット（以下、ＭＰＵと記す）であり、内部に調光設定値等を記憶するメモリ１２０ａを有する。
【００２０】
次に、上記構成における撮像装置の動作について説明する。
【００２１】
被写体を撮像するのに十分な照度がある場合、撮像レンズ１０１を通った光束は絞り機構部１０２によって適切な露出に制御され、撮像素子１０４により光電変換される。撮像素子１０４は撮像素子駆動部１０５によって電荷の蓄積時間が制御されている。前段信号処理部１０６においては、相関２重サンプリング、利得制御が行われ、Ａ／Ｄ変換部１０７にてアナログ信号からデジタル信号に変換される。デジタルに変換された信号は、カメラ信号処理部１０８において、オートホワイトバランス、輪郭強調等々の処理がなされる。このカメラ信号処理部１０８にて処理された信号はＭＰＵ１２０に伝えられ、その信号を基にフィードバック制御を行っている。外部閃光装置１１８を使用する場合は、外部閃光装置１１８に設定された設定値を取得したり、撮像装置からの設定を行うために、通信制御部１１５により外部閃光装置１１８と通信を確立したりしている。通信を行うかどうかの判定は、装着検知部１１６により検出された結果に基づいて行っているが、それについては後述する。
【００２２】
前述した絞り制御、電荷蓄積時間制御、利得制御のいずれも、ＭＰＵ１２０に入力される信号が適正値になるように、ＭＰＵ１２０は、絞り駆動部１０３、撮像素子駆動部１０５、前段信号処理部１０６の制御を行っている。
【００２３】
カメラ信号処理部１０８で処理された信号は、記録時には、表示駆動部１１３に供給され、表示部１１４にリアルタイムに撮像画像が表示される（ライブ画）のと同時に、操作スイッチ部１１９から記録開始のトリガが入力される。すると、ＭＰＵ１２０は絞り機構部１０２を絞り駆動部１０３によって撮影用の絞り値に設定し、前段信号処理部１０６を撮影用の感度に設定する。
【００２４】
また、ＭＰＵ１２０は絞り機構部１０２を絞り駆動部１０３により撮影用の蓄積時間で閉じ切り、シャッタ動作をするように設定する。その後に撮像素子１０４にて設定された蓄積時間露光され、この露光期間の開始若しくは終了に同期した指示信号がアクセサリーシュー１１７を介して外部閃光装置１１８に供給され、外部閃光装置１１８の発光部が発光する。
【００２５】
蓄積時間終了時に絞り機構部１０２が閉じ切られることによって遮光される。遮光中に読み出された映像信号は、Ａ／Ｄ変換部１０７でアナログ信号からデジタル信号に変換されてカメラ信号処理部１０８を経て、画像データ圧縮伸長部１０９に供給される。画像データ圧縮伸長部１０９は一度画像メモリ１１０に画像データを記憶させ、順次ＪＰＥＧ等の形式に圧縮して画像データ記録再生部１１１に出力し、これにより半導体メモリ等の記録媒体１１２に前記画像データが記録される。
【００２６】
再生時には、記録媒体１１２から画像データ記録再生部１１１にて画像データが読み取られ、画像データ圧縮伸長部１０９に供給される。そして、ここで伸長された画像データは画像メモリ１１０に一旦記憶された後に表示駆動部１１３に供給され、表示部１１４にて画像として再生される。
【００２７】
ここで、外部閃光装置１１８と撮像装置の関係について詳述する。
【００２８】
図２に、ＭＰＵ１２０が行っている外部閃光装置１１８の装着検知シーケンスのフローチャート図を示す。ステップＳ２０１では、機械式スイッチにより構成された装着検知部１１６による外部閃光装置１１８の装着（接続）の有無を判定する。この結果、外部閃光装置１１８の装着が検知されなければステップＳ２０７へ進み、外部閃光装置無しとする。
【００２９】
一方、外部閃光装置１１８の装着が検知された場合はステップＳ２０２へ進み、通信制御部１１５により、アクセサリーシュー１１７を介して外部閃光装置１１８との通信を開始する。そして、次のステップＳ２０３にて、所望の返信が外部閃光装置１１８からあったか否かを判定し、返信がなければステップＳ２０８へ進み、外部閃光装置１１８の電源が入っていないか、通信非対応の外部閃光装置であるとする。
【００３０】
また、外部閃光装置１１８から所望の返信があった場合はステップＳ２０４へ進み、通信が確立したものとする。そして、次のステップＳ２０５にて、種々の通信を行い、装着されている外部閃光装置１１８がどのような機能を持った閃光装置であるかなどの情報を取得する。ここで非対応の外部閃光装置１１８であることがわかればステップＳ２０９へ進み、非対応の閃光装置であることを示すフラグを設定する。一方、通信により一つ以上の対応機能を持った外部閃光装置１１８であることがわかった場合はステップＳ２０６へ進み、対応の外部閃光装置１１８であることを示すフラグを設定する。この時点で、表示部１１４に外部閃光装置１１８が発光可能であることを示す表示をしてもよい。
【００３１】
図２に示したシーケンスにより、撮像装置からの指示通りに発光可能な外部閃光装置１１８が装着されている状態においては、外部閃光装置１１８を使用して閃光発光撮影を行うことができる。
【００３２】
ここで、撮像装置は、撮像動作における発光制御として、主に２種類の閃光発光制御を備えている。
【００３３】
閃光発光制御の一つは自動調光モードである。まず、外光下で得られる映像信号からの、外部閃光装置１１８をプリ発光させて得られる映像信号の増加分から撮影時（本発光時）に必要な発光量をＭＰＵ１２０で演算する。その演算結果を、通信制御部１１５から所定のコマンド信号と共にアクセサリーシュー１１７を介してシリアル通信し、撮影時に演算された発光量により発光させるのが自動調光モードである。撮像装置のプログラムモード、オートモードや、様々なシーンにおいて適切な露出やホワイトバランス制御を撮像装置が自動で行うシーンモードなどにおいては、通常この自動調光モードにて発光を行う。
【００３４】
もう一つは、発光量をガイドナンバーとして表現できる固定発光量として、発光させるマニュアル発光モードである。これは撮像装置のマニュアルモードや絞り優先モードにおいて、ユーザーが任意のガイドナンバーで閃光装置を発光させたいシーンにおいて使用されることが想定されている。これらの発光モードは、操作スイッチ部１１９と表示部１１４から成る、撮像装置のユーザーインターフェース（以下、カメラＵＩ）からも設定可能であるが、外部閃光装置１１８にも切換部材を備えている場合がある。
【００３５】
ここで、カメラＵＩのメニュー表示から閃光発光制御の項目が選択可能である。カメラＵＩの操作スイッチ部１１９のＭＥＮＵボタンを押した際に、表示部１１４にメニュー画面が表示される。
【００３６】
このメニュー画面には一つ以上の選択項目が羅列されており、例えば、閃光発光制御の項目、手振れ補正の項目、セルフタイマー設定の項目などが選択可能である。操作スイッチ部１１９に含まれる十字キーの上下ボタンにより、指標を移動させて設定を操作したい項目を選択し、操作スイッチ部１１９に含まれるＳＥＴボタンを押すことで、選択されている項目の設定画面に進むことができる。メニューの構成に関しては、メニュー画面の選択項目の横に現在その項目に対して設定されている設定値や設定状態を表示し、操作スイッチ部１１９に含まれる十字キーの横ボタンで指標を移動させて設定を変更することができる構成であってもよい。また、選択項目によって次の設定画面に進む項目とそのまま十字キーの横ボタンで設定を変えられる項目が混在してもよい。
【００３７】
閃光発光制御の項目が選択され、図２のステップＳ２０７で外部閃光装置無しとされている場合は、図示しない内部閃光装置の閃光発光制御を行うためのメニューが表示される。ここで設定できるのは、例えば発光モード設定、調光補正値設定または固定発光量設定、露光開始のタイミングで発光を行う先幕シンクロか露光終了の間際で発光する後幕シンクロかの設定である。さらには、所定の露光時間よりも長い露光時間における撮影での内部閃光装置での閃光発光撮影を許可するかどうかの設定などである。
【００３８】
また、閃光発光制御の項目が選択され、図２のステップＳ２０６で対応の外部閃光装置とされている場合は、外部閃光装置用の発光設定メニューが表示される。ここで設定できるのは、例えば、上記内部閃光装置用の閃光発光制御の項目に、外部閃光装置でしか実施できない機能であるワイヤレス発光の設定を加えたものなどである。
【００３９】
カメラＵＩで閃光発光制御の項目が選択され、図２のステップＳ２０８またはステップＳ２０９で電源オフまたは非対応の外部閃光装置とされている場合は、外部閃光装置１１８に何も所望の設定が行えない可能性が高い。そのため、閃光発光制御の項目を表示させない。ただし、このとき操作スイッチ部１１９に含まれる記録開始トリガを与えるシャッタボタンが押された場合は、撮像装置との通信が行えなくとも発光可能な外部閃光装置が装着されている可能性がある。そのため、内部閃光装置は発光させず、露光タイミングと同期して、アクセサリーシュー１１７を介して外部閃光装置１１８に発光指示信号を与える。閃光発光制御の項目を含むメニュー画面は、表示された状態でシャッタボタンが押された場合は、メニュー表示を消してライブ画を表示するように構成されている。
【００４０】
そして操作スイッチ部１１９には、ＭＥＮＵボタンの他に、ＦＵＮＣボタンが含まれており、該ＦＵＮＣボタンを押下すると、表示部１１４にＦＵＮＣメニューが表示される。このＦＵＮＣメニューは、例えば、ホワイトバランス、調光補正、固定発光量設定、ノイズリダクション、画像データの圧縮率、画像データの画素数など、利用頻度の高い機能の設定項目の一覧が表示される。このＦＵＮＣボタンで表示されるメニューのうち、閃光発光制御に関する項目は、自動調光モードの調光補正と、マニュアル発光モードの固定発光量の設定の２つのみである。
【００４１】
図３（ａ）は、ＦＵＮＣボタンを押下する前に表示部１１４に表示されているライブ画を示しており、図３（ｂ）は、ＦＵＮＣボタンが押されてＦＵＮＣメニューが表示された状態の一例を示す。図３（ｂ）では、表示部１１４の左端に、縦に並んで複数の項目の一覧がＦＵＮＣメニューとして表示されている。操作スイッチ部１１９に含まれる十字キーの上下ボタン操作により指標を移動させ、選択項目を変更することが可能である。
【００４２】
同じく図３（ｂ）では、表示部１１４の下隅に、目盛り状の設定値の一覧が表示されている。これは現在選択されている調光補正の設定を行うための表示であり、現在、発光量を適正値よりも２段多くする設定が選択されていることを示している。この設定値の選択のための表示は左隅のＦＵＮＣメニュー項目ごとにまちまちであり、その項目に関する設定値の選択に適した形態で表示されてよく、設定値を選ぶためには操作スイッチ部１１９に含まれる十字キーの左右ボタンを操作して指標を移動させればよい。図３（ｂ）を見てわかるように、ＦＵＮＣメニューはライブ画と重ねて表示され、ＦＵＮＣメニュー表示を残したまま撮影を行うことが容易であり、メニュー画面とは違って撮影が行われても表示は消えないように構成されている。
【００４３】
ここで、外部閃光装置１１８を装着したまま、外部閃光装置１１８を発光させずに撮影を行うとき、外部閃光装置１１８の電源をオフにして撮影を行うことでそれを実現できる。
【００４４】
図４は本実施形態における撮像装置の調光補正、あるいは、固定発光量を設定するための表示を行うためのフローチャートを示す図である。
【００４５】
撮影モードが設定され、操作スイッチ部１１９に含まれるＦＵＮＣボタンの押下により、表示部１１４にＦＵＮＣメニューが表示されると、図４のフローを開始する。
【００４６】
ステップＳ１０１にて、ＦＵＮＣメニュー内で閃光発光制御に関する項目が選択されているかを判定する。閃光発光制御に関する項目とは、カメラが自動調光モードに設定されていれば調光補正を設定する項目を指し、カメラがマニュアル発光モードに設定されていれば固定発光量を設定する項目を指す。閃光発光制御に関する項目が選択されていない場合は、ステップＳ１０２に進み選択された項目に沿った処理を行ってこのフローを終了し、選択されていればステップＳ１０３に進む。
【００４７】
ステップＳ１０３にて、カメラに外部閃光装置１１８が接続されているか判定し、外部閃光装置１１８が接続されている場合はステップＳ１０４に進む。
【００４８】
ステップＳ１０４にて、外部閃光装置１１８の現在の発光モードがマニュアル発光モードであるか判定し、マニュアル発光モードであればステップＳ１０６に進み、自動調光モードであればステップＳ１０７に進む。
【００４９】
ステップＳ１０６にて、表示部１１４は画面下端に外部閃光装置の固定発光量の設定値を示す一覧を表示し、ステップＳ１０８に進む。
【００５０】
ステップＳ１０７にて、表示部１１４は図８に示したように画面下端に外部閃光装置１１８の調光補正の設定値を示す一覧を表示し、ステップＳ１０８に進む。
【００５１】
ステップＳ１０８にて、外部閃光装置１１８の電源がオンであるか判定し、オンであればステップＳ１０９へ進み、オンされていなければステップＳ１１０へ進む。ここで、外部閃光装置１１８の電源がオンであれば、自動調光モードあるいはマニュアル発光モードの設定が有効となり、電源がオフされていれば、自動調光モードあるいはマニュアル発光モードの設定が無効となる。
【００５２】
ステップＳ１０９にて、表示部１１４は、カメラ側にて外部閃光装置１１８の設定を変更することが可能であるため、図５（ａ）に示すように画面下端の設定値の一覧を白色で表示する。そして、操作スイッチ部１１９の操作に応じていずれかの設定値を選択可能な状態に設定する。ユーザーがいずれかの値を選んだのち、操作スイッチ部１１９の決定ボタンが操作されることによって、選択した設定値がメモリ１２０ａに記憶される。そして、ＭＰＵ１２０がこの記憶した設定値で閃光発光制御を行うよう外部閃光装置１１８へと指示し、このフローを終了する。
【００５３】
ステップＳ１１０にて、自動調光モードあるいはマニュアル発光モードの設定自体が無効であるため、ＭＰＵ１２０は画面下端の設定値の変更を禁止する。そして、表示部１１４はカメラ側から外部閃光装置１１８の設定を変更することが不可能であることを示すため、図５（ｂ）に示すように設定値の一覧を異なる色（本実施形態では灰色）で表示する。
【００５４】
ただし、従来と異なり、画面下端の設定値の一覧の色を異ならせて設定値の選択できないようにしても、画面左端のＦＵＮＣメニューでは調光補正が選択されたままの状態を継続する。そして、ＦＵＮＣメニューの別の項目が選択されるか、ＦＵＮＣメニューが終了されるか、あるいは、外部閃光装置の電源が切られれば、このフローを終了する。なお、ステップＳ１０９およびＳ１１０では自動調光モードにおける調光補正の設定値を例にあげて説明を行っているが、マニュアル発光モードにおける固定発光量においても同様の表示処理を行う。
【００５５】
このように、それまでカメラ側で調光補正の項目が選択されていれば、外部閃光装置の電源をオフして調光補正が設定できない状態になったとしても、カメラ側では調光補正の項目を選択した指標の表示を継続する。
【００５６】
この構成により、再度外部閃光装置の電源をオンして外部閃光装置の発光を伴う撮影を有効にしたときには、すぐさま調光補正の設定が可能となる。さらに、外部閃光装置の電源がオフされている間は、調光補正の具体的な設定値を変更することは禁止しているため、誤操作によってユーザーが意図しない間に設定値が変更してしまうことを抑止することもできる。
【００５７】
ここでステップＳ１０３に戻り、外部閃光装置１１８が接続されていない場合はステップＳ１０５に進む。
【００５８】
ステップＳ１０５にて、カメラの不図示の内部閃光装置の現在の発光モードがマニュアル発光モードであるか判定し、マニュアル発光モードであればステップＳ１１１に進み、自動調光モードであればステップＳ１１２に進む。
【００５９】
ステップＳ１１１にて、表示部１１４は画面下端に内部閃光装置の固定発光量の設定値の一覧を表示し、ユーザーによって選択された固定発光量を記憶してこのフローを終了する。
【００６０】
ステップＳ１１２にて、表示部１１４は図８に示したように画面下端に内部閃光装置の調光補正の設定値を示す目盛りを表示し、ユーザーによって選択された設定値を記憶してこのフローを終了する。
【００６１】
以上説明したように、本実施形態によれば、外部閃光装置の電源をオンとオフに応じて、外部閃光装置の調光補正を設定するためのパラメータの表示形態が変化する。そのため、ユーザーは一目で外部閃光装置の調光補正の設定の可否を判断することができる。さらに、直前にＦＵＮＣメニューにおいて外部閃光装置の調光補正の設定に関する項目が選択されていれば、外部閃光装置の電源をオフした場合であっても、その項目が選択されたことを示す指標の表示を継続する。そのため、再び外部閃光装置の電源をオンした場合に、すぐさま外部閃光装置の調光補正の設定を行うことが可能となる。
【００６２】
つまり、頻繁に調光補正や閃光装置の発光の有無に関する設定を切り替えながら撮影を行う際に、ユーザーに余計な操作をさせることのない撮像装置を提供することができる。
【００６３】
（第２の実施形態）
第１の実施形態では、外部閃光装置の調光補正を設定する項目が選択されている状態で、外部閃光装置の電源をオフした場合を例にあげて説明した。これに対し、本実施形態では、外部閃光装置に限らず、ＦＵＮＣメニュー表示中に撮影条件の変更に伴って、現在選択中のＦＵＮＣメニューの項目が無効となった場合に、項目の選択を継続したままで設定値をグレーアウトする別の例について説明する。
【００６４】
図６、７に本実施形態におけるＦＵＮＣメニューを表示例を示す。本実施形態のＦＵＮＣメニューの項目には、ホワイトバランスの設定、コントラストや色の濃さを任意に変更して撮影するマイカラーの設定、ブラケット撮影の設定、調光補正の設定がある。他には、測光方式の設定、ＮＤフィルターの入／切設定、圧縮率の設定、および、画像サイズの設定がある。本実施形態のカメラには、これらの項目の具体的な設定値をユーザーが任意に設定可能なプログラムモードと、ユーザーがこれらの項目のパラメータを設定できずにカメラが全て自動で制御するオートモードを有する。
【００６５】
図６にプログラムモードにおいてホワイトバランスを設定する項目が選択された際の、表示部１１４の画面の表示例を示す。このホワイトバランスの項目としては、自動設定、あるいは、晴天、曇天や日陰、電球等のそれぞれに対して最適となる設定値が用意されている。プログラムモードが選択されていれば、図６（ａ）、（ｂ）に示されているようにユーザーがこれらのいずれかの設定値を任意に選択することができる。なお、図６（ａ）は自動選択、図６（ｂ）は晴天を設定したときの図である。
【００６６】
この状態において、カメラをプログラムモードからオートモードに変更すると、ＭＰＵ１２０はこれらホワイトバランスの設定値を変更する処理を禁止する。そして、図６（ｃ）に示すようにＦＵＮＣメニューではホワイトバランスの項目を選択したままで、画面下部の自動設定、あるいは、晴天等を示すアイコンだけが灰色での表示に変更される。
【００６７】
そして、この状態から再度カメラをプログラムモードに変更すれば、表示部１１４の表示は図６（ａ）の状態に復帰する。
【００６８】
さらに別の例として、図７にブラケット撮影を設定する項目が選択された際の、表示部１１４の画面の表示例を示す。このブラケット撮影は、設定した露出補正量の幅にしたがってカメラが自動的に露出を変えながら３回撮影する機能である。閃光装置の発光を行う撮影条件が選択されると、このブラケット撮影は禁止される。
【００６９】
図７（ａ）に、カメラが閃光装置の発光を伴わない条件に設定されており、かつ、ブラケット撮影の項目が選択されているときの表示部１１４の画面の表示例を示す。画面下部の設定値を選択することによって、３つの画像の露出補正量の幅を変更することが可能である。
【００７０】
この状態において、閃光装置の発光を伴うようカメラの撮影条件を変更すると、ＭＰＵ１２０はこれらブラケット撮影の設定値を変更する処理を禁止する。そして、図７（ｂ）に示すようにＦＵＮＣメニューではブラケット撮影の項目を選択したままで、画面下部の設定値だけが灰色での表示に変更される。
【００７１】
そして、この状態から再度カメラを閃光装置の発光を伴わない撮影条件に変更すれば、表示部１１４の表示は図７（ａ）の状態に復帰する。
【００７２】
以上説明したように、本実施形態によれば、撮影モードや閃光装置の発光の可否に関する設定を切り替えながら撮影を行う際に、ホワイトバランスやブラケット撮影の設定に関してもユーザーに余計な操作をさせることのない撮像装置を提供することができる。
【図面の簡単な説明】
【００７３】
【図１】本発明の実施形態における撮像装置の回路構成を示す図である。
【図２】外部閃光装置の装着検知シーケンスを示すフローチャートを示す図である。
【図３】リアルタイムに撮像画像を表示する表示部の表示画面の一例を示す図である。
【図４】本実施形態における撮像装置の調光補正、あるいは、固定発光量を設定するための表示を行うためのフローチャートを示す図である。
【図５】本実施形態における調光補正の補正値の一覧の表示形態の変化を説明するための図である。
【図６】本実施形態におけるホワイトバランスの補正値の一覧の表示形態の変化を説明するための図である。
【図７】本実施形態におけるブラケット撮影の補正値の一覧の表示形態の変化を説明するための図である。
【図８】外部閃光装置の調光補正を設定するための表示を行ったときの表示部の表示画面の一例を示す図である。
【図９】外部閃光装置の電源をオフしたときの従来のカメラの表示部の表示画面の変化の一例を示す図である。
【符号の説明】
【００７４】
１１４  表示部
１１５  通信制御部
１１６  装着検知部
１１７  アクセサリーシュー
１１８  外部閃光装置
１１９  操作スイッチ部
１２０  マイクロプロセッサユニット
【図１】
0004845832.tif 000002
【図２】
0004845832.tif 000003
【図３】
0004845832.tif 000004
【図４】
0004845832.tif 000005
【図５】
0004845832.tif 000006
【図６】
0004845832.tif 000007
【図７】
0004845832.tif 000008
【図８】
0004845832.tif 000009
【図９】
0004845832.tif 000010